【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
ツリー構造の複数のフォルダ及びファイルを管理すると共に、前記管理する夫々のファイル及びフォルダに個別にアクセス権を設定する文書管理システムにおいて、
前記アクセス権が設定されたファイルである調査対象を取得する調査対象取得手段と、
前記調査対象に対してアクセス権が設定されたファイルユーザ集合を取得するファイルユーザ集合取得手段と、
前記調査対象であるファイルが所属するフォルダを取得するフォルダ取得手段と、
前記取得されたフォルダに対してアクセス権が設定されたフォルダユーザ集合を取得するフォルダユーザ集合取得手段と、
前記ファイルユーザ集合及び前記フォルダユーザ集合の共集合が空集合であるときに、前記調査対象へのアクセス可能ユーザは存在しないと判断する判断手段と、を備えることを特徴とする文書管理システム。
【請求項２】
ツリー構造の複数のフォルダ及びファイルを管理すると共に、前記管理する夫々のフォルダに個別にアクセス権を設定する文書管理システムにおいて、
前記アクセス権が設定されたフォルダである調査対象を取得する調査対象取得手段と、
前記調査対象であるフォルダに対してアクセス権が設定された第１のユーザ集合を取得する第１のユーザ集合取得手段と、
前記調査対象であるフォルダの親フォルダを取得する親フォルダ取得手段と、
前記親フォルダ取得手段により取得された親フォルダに対してアクセス権が設定された第２のユーザ集合を取得する第２のユーザ集合取得手段と、
前記第１のユーザ集合及び前記第２のユーザ集合の共集合が空集合であるときに、前記調査対象へのアクセス可能ユーザは存在しないと判断する判断手段と、を備えることを特徴とする文書管理システム。
【請求項３】
ツリー構造の複数のフォルダ及びファイルを管理すると共に、前記管理する夫々のファイル及びフォルダに個別にアクセス権を設定する文書管理システムにおいて、
前記アクセス権が設定されたファイルである調査対象を取得する調査対象取得手段と、
前記調査対象であるファイルに対してアクセス権が設定されたファイルユーザ集合を取得するファイルユーザ集合取得手段と、
前記調査対象であるファイルが所属するフォルダを取得するフォルダ取得手段と、
前記取得されたフォルダがルートフォルダでないときに、ルートフォルダになるまで当該フォルダの親フォルダを再帰的に取得する再帰的親フォルダ取得手段と、
前記取得されたルートフォルダに対してアクセス権が設定されたフォルダユーザ集合を取得するフォルダユーザ集合取得手段と、
前記ファイルユーザ集合及び前記フォルダユーザ集合の共集合が空集合であるときに、前記調査対象へのアクセス可能ユーザは存在しないと判断する判断手段と、を備えることを特徴とする文書管理システム。
【請求項４】
ツリー構造の複数のフォルダ及びファイルを管理すると共に、前記管理する夫々のフォルダに個別にアクセス権を設定する文書管理システムにおいて、
前記アクセス権が設定されたフォルダである調査対象を取得する調査対象取得手段と、
前記調査対象であるフォルダに対してアクセス権が設定された第１のユーザ集合を取得する第１のユーザ集合取得手段と、
前記調査対象であるフォルダの親フォルダを取得する親フォルダ取得手段と、
前記取得された親フォルダがルートフォルダでないときに、ルートフォルダになるまで当該フォルダの親フォルダを再帰的に取得する再帰的親フォルダ取得手段と、
前記取得されたルートフォルダに対してアクセス権が設定された第２のユーザ集合を取得する第２のユーザ集合取得手段と、
前記第１のユーザ集合及び前記第２のユーザ集合の共集合が空集合であるときに、前記調査対象へのアクセス可能ユーザは存在しないと判断する判断手段と、を備えることを特徴とする文書管理システム。
【請求項５】
前記調査対象へのアクセス可能ユーザが存在しないと判断したときに、画面表示、印刷、音声出力、ログ記録、メール送信の少なくともいずれかでユーザにその旨通知する通知手段を更に備えることを特徴とする請求項１乃至４のいずれか１項に記載の文書管理システム。
【請求項６】
前記調査対象へのアクセス可能ユーザが存在しないと判断したときに、前記調査対象へのユーザアクセスを可能とする対応方法を取得する対応方法取得手段を更に備えることを特徴とする請求項１乃至５のいずれか１項に記載の文書管理システム。
【請求項７】
前記調査対象取得手段は、
前記調査対象となるファイル又はフォルダをユーザ選択可能に表示する表示手段を備えることを特徴とする請求項１乃至６のいずれか１項に記載の文書管理システム。
【請求項８】
前記調査対象取得手段は、
前記アクセス権が設定されたファイル又はフォルダの１つであって、前記調査対象として未だ取得されていないファイル又はフォルダがあるときに、当該ファイル又はフォルダを前記調査対象として取得することを特徴とする請求項１乃至７のいずれか１項に記載の文書管理システム。
【請求項９】
前記共集合が空集合でないとき、アクセス可能性調査から除外される除外ユーザ集合を取得する除外ユーザ取得手段を更に備え、
前記判断手段は、前記共集合と前記除外ユーザ集合の補集合の共集合が空集合であるとき、前記調査対象へのアクセス可能ユーザは存在しないと判断することを特徴とする請求項１乃至８のいずれか１項に記載の文書管理システム。
【請求項１０】
前記調査対象へのアクセス可能ユーザの存在有無の判断を実行するタイミングを取得するタイミング取得手段と、
定期的に現在時刻を取得する現在時刻取得手段とを更に備え、
前記判断手段は、前記取得した現在時刻が前記取得したタイミングであるときに、アクセス可能ユーザの存在有無の判断を実行することを特徴とする請求項１乃至９のいずれか１項に記載の文書管理システム。
【請求項１１】
ツリー構造の複数のフォルダ及びファイルを管理すると共に、前記管理する夫々のファイル及びフォルダに個別にアクセス権を設定する文書管理システムにおける文書管理方法であって、
前記文書管理システムは、調査対象取得手段、ユーザ集合取得手段、フォルダ取得手段、フォルダユーザ集合取得手段、及び判断手段を備え、
前記調査対象取得手段が、前記アクセス権が設定されたファイルである調査対象を取得する調査対象取得ステップと、
前記ユーザ集合取得手段が、前記調査対象に対してアクセス権が設定されたファイルユーザ集合を取得するファイルユーザ集合取得ステップと、
前記フォルダ取得手段が、前記調査対象であるファイルが所属するフォルダを取得するフォルダ取得ステップと、
前記フォルダユーザ集合取得手段が、前記取得されたフォルダに対してアクセス権が設定されたフォルダユーザ集合を取得するフォルダユーザ集合取得ステップと、
前記判断手段が、前記ファイルユーザ集合及び前記フォルダユーザ集合の共集合が空集合であるときに、前記調査対象へのアクセス可能ユーザは存在しないと判断する判断ステップと、を有することを特徴とする文書管理方法。
【請求項１２】
ツリー構造の複数のフォルダ及びファイルを管理すると共に、前記管理する夫々のフォルダに個別にアクセス権を設定する文書管理システムにおける文書管理方法であって、
前記文書管理システムは、調査対象取得手段、第１のユーザ集合取得手段、親フォルダ取得手段、第２のユーザ集合取得手段、及び判断手段を備え、
前記調査対象取得手段が、前記アクセス権が設定されたフォルダである調査対象を取得する調査対象取得ステップと、
前記第１のユーザ集合取得手段が、前記調査対象であるフォルダに対してアクセス権が設定された第１のフォルダユーザ集合を取得する第１のユーザ集合取得ステップと、
前記親フォルダ取得手段が、前記調査対象であるフォルダの親フォルダを取得する親フォルダ取得ステップと、
前記第２のユーザ集合取得手段が、前記親フォルダ取得ステップにより取得された親フォルダに対してアクセス権が設定された第２のユーザ集合を取得する第２のユーザ集合取得ステップと、
前記判断手段が、前記第１のユーザ集合及び前記第２のユーザ集合の共集合が空集合であるときに、前記調査対象へのアクセス可能ユーザは存在しないと判断する判断ステップと、を有することを特徴とする文書管理方法。
【請求項１３】
ツリー構造の複数のフォルダ及びファイルを管理すると共に、前記管理する夫々のファイル及びフォルダに個別にアクセス権を設定する文書管理システムにおける文書管理方法であって、
前記文書管理システムは、調査対象取得手段、ファイルユーザ集合取得手段、フォルダ取得手段、再帰的親フォルダ取得手段、フォルダユーザ集合取得手段、及び判断手段を備え、
前記調査対象取得手段が、前記アクセス権が設定されたファイルである調査対象を取得する調査対象取得ステップと、
前記ファイルユーザ集合取得手段が、前記調査対象であるファイルに対してアクセス権が設定されたファイルユーザ集合を取得するファイルユーザ集合取得ステップと、
前記フォルダ取得手段が、前記調査対象が所属するフォルダを取得するフォルダ取得ステップと、
前記再帰的親フォルダ取得手段が、前記取得されたフォルダがルートフォルダでないときに、ルートフォルダになるまで当該フォルダの親フォルダを再帰的に取得する再帰的親フォルダ取得ステップと、
前記フォルダユーザ集合取得手段が、前記取得されたルートフォルダに対してアクセス権が設定されたフォルダユーザ集合を取得するフォルダユーザ集合取得ステップと、
前記判断手段が、前記ファイルユーザ集合及び前記フォルダユーザ集合の共集合が空集合であるときに、前記調査対象へのアクセス可能ユーザは存在しないと判断する判断ステップと、を有することを特徴とする文書管理方法。
【請求項１４】
ツリー構造の複数のフォルダ及びファイルを管理すると共に、前記管理する夫々のフォルダに個別にアクセス権を設定する文書管理システムにおける文書管理方法であって、
前記文書管理システムは、調査対象取得手段、第１のユーザ集合取得手段、親フォルダ取得手段、再帰的親フォルダ取得手段、第２のユーザ集合取得手段、及び判断手段を備え、
前記調査対象取得手段が、前記アクセス権が設定されたフォルダである調査対象を取得する調査対象取得ステップと、
前記第１のユーザ集合取得手段が、前記調査対象であるフォルダに対してアクセス権が設定された第１のユーザ集合を取得する第１のユーザ集合取得ステップと、
前記親フォルダ取得手段が、前記調査対象であるフォルダの親フォルダを取得する親フォルダ取得ステップと、
前記再帰的親フォルダ取得手段が、前記取得された親フォルダがルートフォルダでないときに、ルートフォルダになるまで当該フォルダの親フォルダを再帰的に取得する再帰的親フォルダ取得ステップと、
前記第２のユーザ集合取得手段が、前記取得されたルートフォルダに対してアクセス権が設定された第２のユーザ集合を取得する第２のユーザ集合取得ステップと、
前記判断手段が、前記第１のユーザ集合及び前記第２のユーザ集合の共集合が空集合であるときに、前記調査対象へのアクセス可能ユーザは存在しないと判断する判断ステップと、を有することを特徴とする文書管理方法。
【請求項１５】
前記文書管理システムは、通知手段をさらに備え、
前記通知手段が、前記調査対象へのアクセス可能ユーザが存在しないと判断したときに、画面表示、印刷、音声出力、ログ記録、メール送信の少なくともいずれかでユーザにその旨通知する通知ステップを更に備えることを特徴とする請求項１１乃至１４のいずれか１項に記載の文書管理方法。
【請求項１６】
前記文書管理システムは、対応方法取得手段をさらに備え、
前記対応方法取得手段が、前記調査対象へのアクセス可能ユーザが存在しないと判断したときに、前記調査対象へのユーザアクセスを可能とする対応方法を取得する対応方法取得ステップを更に備えることを特徴とする請求項１１乃至１５のいずれか１項に記載の文書管理方法。
【請求項１７】
前記調査対象取得ステップでは、
前記調査対象取得手段が、表示手段に、前記調査対象となるファイル又はフォルダをユーザ選択可能に表示させる表示ステップを含むことを特徴とする請求項１１乃至１６のいずれか１項に記載の文書管理方法。
【請求項１８】
前記調査対象取得ステップでは、前記調査対象取得手段が、前記アクセス権が設定されたファイル又はフォルダの１つであって、前記調査対象として未だ取得されていないファイル又はフォルダがあるときに、当該ファイル又はフォルダを前記調査対象として取得することを特徴とする請求項１１乃至１７のいずれか１項に記載の文書管理方法。
【請求項１９】
前記文書管理システムは、除外ユーザ取得手段を更に備え、
前記除外ユーザ取得手段が、前記共集合が空集合でないとき、アクセス可能性調査から除外される除外ユーザ集合を取得する除外ユーザ取得ステップを更に有し、
前記判断ステップでは、前記共集合と前記除外ユーザ集合の補集合の共集合が空集合であるとき、前記判断手段が前記調査対象へのアクセス可能ユーザは存在しないと判断することを特徴とする請求項１１乃至１８のいずれか１項に記載の文書管理方法。
【請求項２０】
前記文書管理システムは、タイミング取得手段及び現在時刻取得手段を更に備え、
前記タイミング取得手段が、前記調査対象へのアクセス可能ユーザの存在有無の判断を実行するタイミングを取得するタイミング取得ステップと、
前記現在時刻取得手段が、定期的に現在時刻を取得する現在時刻取得ステップとを更に有し、
前記判断ステップでは、前記取得した現在時刻が前記取得したタイミングであるときに、前記判断手段がアクセス可能ユーザの存在有無の判断を実行することを特徴とする請求項１１乃至１９のいずれか１項に記載の文書管理方法。
【請求項２１】
コンピュータを、ツリー構造の複数のフォルダ及びファイルを管理すると共に、前記管理する夫々のファイル及びフォルダに個別にアクセス権を設定する文書管理システムとして機能させるためのプログラムであって、
前記コンピュータを、
前記アクセス権が設定されたファイルである調査対象を取得する調査対象取得手段、
前記調査対象に対してアクセス権が設定されたファイルユーザ集合を取得するファイルユーザ集合取得手段、
前記調査対象であるファイルが所属するフォルダを取得するフォルダ取得手段、
前記取得されたフォルダに対してアクセス権が設定されたフォルダユーザ集合を取得するフォルダユーザ集合取得手段、並びに
前記ファイルユーザ集合及び前記フォルダユーザ集合の共集合が空集合であるときに、前記調査対象へのアクセス可能ユーザは存在しないと判断する判断手段、として機能させることを特徴とするプログラム。
【請求項２２】
コンピュータを、ツリー構造の複数のフォルダ及びファイルを管理すると共に、前記管理する夫々のフォルダに個別にアクセス権を設定する文書管理システムとして機能させるためのプログラムであって、
コンピュータを、
前記アクセス権が設定されたフォルダである調査対象を取得する調査対象取得手段、
前記調査対象であるフォルダに対してアクセス権が設定された第１のユーザ集合を取得する第１のユーザ集合取得手段、
前記調査対象であるフォルダの親フォルダを取得する親フォルダ取得手段、
前記親フォルダ取得手段により取得された親フォルダに対してアクセス権が設定された第２のユーザ集合を取得する第２のユーザ集合取得手段、並びに
前記第１のユーザ集合及び前記第２のユーザ集合の共集合が空集合であるときに、前記調査対象へのアクセス可能ユーザは存在しないと判断する判断手段、として機能させることを特徴とするプログラム。
【請求項２３】
コンピュータを、ツリー構造の複数のフォルダ及びファイルを管理すると共に、前記管理する夫々のファイル及びフォルダに個別にアクセス権を設定する文書管理システムとして機能させるためのプログラムであって、
コンピュータを、
前記アクセス権が設定されたファイルである調査対象を取得する調査対象取得手段、
前記調査対象であるファイルに対してアクセス権が設定されたファイルユーザ集合を取得するファイルユーザ集合取得手段、
前記調査対象であるファイルが所属するフォルダを取得するフォルダ取得手段、
前記取得されたフォルダがルートフォルダでないときに、ルートフォルダになるまで当該フォルダの親フォルダを再帰的に取得する再帰的親フォルダ取得手段、
前記取得されたルートフォルダに対してアクセス権が設定されたフォルダユーザ集合を取得するフォルダユーザ集合取得手段、並びに
前記ファイルユーザ集合及び前記フォルダユーザ集合の共集合が空集合であるときに、前記調査対象へのアクセス可能ユーザは存在しないと判断する判断手段、として機能させることを特徴とするプログラム。
【請求項２４】
コンピュータを、ツリー構造の複数のフォルダ及びファイルを管理すると共に、前記管理する夫々のフォルダに個別にアクセス権を設定する文書管理システムとして機能させるためのプログラムであって、
コンピュータを、
前記アクセス権が設定されたフォルダである調査対象を取得する調査対象取得手段、
前記調査対象であるフォルダに対してアクセス権が設定された第１のユーザ集合を取得する第１のユーザ集合取得手段、
前記調査対象であるフォルダの親フォルダを取得する親フォルダ取得手段、
前記取得された親フォルダがルートフォルダでないときに、ルートフォルダになるまで当該フォルダの親フォルダを再帰的に取得する再帰的親フォルダ取得手段、
前記取得されたルートフォルダに対してアクセス権が設定された第２のユーザ集合を取得する第２のユーザ集合取得手段、並びに
前記第１のユーザ集合及び前記第２のユーザ集合の共集合が空集合であるときに、前記調査対象へのアクセス可能ユーザは存在しないと判断する判断手段、として機能させることを特徴とするプログラム。
【請求項２５】
請求項２１乃至２４のいずれか１項に記載のプログラムを格納したことを特徴とするコンピュータ読出し可能な記憶媒体。
【手続補正２】
【補正対象書類名】明細書
【補正対象項目名】発明の名称
【補正方法】変更
【補正の内容】
【発明の名称】文書管理システム、文書管理方法及びそのプログラム、並びに記憶媒体
【手続補正３】
【補正対象書類名】明細書
【補正対象項目名】０００１
【補正方法】変更
【補正の内容】
【０００１】
本発明は文書管理システム、文書管理方法及びそのプログラム、並びに記憶媒体に関し、特にファイルとフォルダ、親フォルダと子フォルダに個別にアクセス権を設定できる文書管理システム、文書管理方法及びそのプログラム、並びに記憶媒体に関する。
【手続補正４】
【補正対象書類名】明細書
【補正対象項目名】００１０
【補正方法】変更
【補正の内容】
【００１０】
本発明の目的は、アクセスできないファイルやフォルダの存在を検出することができる文書管理システム、文書管理方法及びそのプログラム、並びに記憶媒体を提供することにある。
【手続補正５】
【補正対象書類名】明細書
【補正対象項目名】００１１
【補正方法】変更
【補正の内容】
【００１１】
請求項１記載の文書管理システムは、ツリー構造の複数のフォルダ及びファイルを管理すると共に、前記管理する夫々のファイル及びフォルダに個別にアクセス権を設定する文書管理システムにおいて、前記アクセス権が設定されたファイルである調査対象を取得する調査対象取得手段と、前記調査対象に対してアクセス権が設定されたファイルユーザ集合を取得するファイルユーザ集合取得手段と、前記調査対象であるファイルが所属するフォルダを取得するフォルダ取得手段と、前記取得されたフォルダに対してアクセス権が設定されたフォルダユーザ集合を取得するフォルダユーザ集合取得手段と、前記ファイルユーザ集合及び前記フォルダユーザ集合の共集合が空集合であるときに、前記調査対象へのアクセス可能ユーザは存在しないと判断する判断手段と、を備えることを特徴とする。
【手続補正６】
【補正対象書類名】明細書
【補正対象項目名】００１２
【補正方法】変更
【補正の内容】
【００１２】
請求項２記載の文書管理システムは、ツリー構造の複数のフォルダ及びファイルを管理すると共に、前記管理する夫々のフォルダに個別にアクセス権を設定する文書管理システムにおいて、前記アクセス権が設定されたフォルダである調査対象を取得する調査対象取得手段と、前記調査対象であるフォルダに対してアクセス権が設定された第１のユーザ集合を取得する第１のユーザ集合取得手段と、前記調査対象であるフォルダの親フォルダを取得する親フォルダ取得手段とを備え、前記親フォルダ取得手段により取得された親フォルダに対してアクセス権が設定された第２のユーザ集合を取得する第２のユーザ取得手段と、前記第１のユーザ集合及び前記第２のユーザ集合の共集合が空集合であるときに、前記調査対象へのアクセス可能ユーザは存在しないと判断する判断手段と、を備えることを特徴とする。
【手続補正７】
【補正対象書類名】明細書
【補正対象項目名】００１３
【補正方法】変更
【補正の内容】
【００１３】
請求項３記載の文書管理システムは、ツリー構造の複数のフォルダ及びファイルを管理すると共に、前記管理する夫々のファイル及びフォルダに個別にアクセス権を設定する文書管理システムにおいて、前記アクセス権が設定されたファイルである調査対象を取得する調査対象取得手段と、前記調査対象であるファイルに対してアクセス権が設定されたファイルユーザ集合を取得するファイルユーザ集合取得手段と、前記調査対象であるファイルが所属するフォルダを取得するフォルダ取得手段と、前記取得されたフォルダがルートフォルダでないときに、ルートフォルダになるまで当該フォルダの親フォルダを再帰的に取得する再帰的親フォルダ取得手段と、前記取得されたルートフォルダに対してアクセス権が設定されたフォルダユーザ集合を取得するフォルダユーザ集合取得手段と、前記ファイルユーザ集合及び前記フォルダユーザ集合の共集合が空集合であるときに、前記調査対象へのアクセス可能ユーザは存在しないと判断する判断手段と、を備えることを特徴とする。
【手続補正８】
【補正対象書類名】明細書
【補正対象項目名】００１４
【補正方法】変更
【補正の内容】
【００１４】
請求項４記載の文書管理システムは、ツリー構造の複数のフォルダ及びファイルを管理すると共に、前記管理する夫々のフォルダに個別にアクセス権を設定する文書管理システムにおいて、前記アクセス権が設定されたフォルダである調査対象を取得する調査対象取得手段と、前記調査対象であるフォルダに対してアクセス権が設定された第１のユーザ集合を取得する第１のユーザ集合取得手段と、前記調査対象であるフォルダの親フォルダを取得する親フォルダ取得手段と、前記取得された親フォルダがルートフォルダでないときに、ルートフォルダになるまで当該フォルダの親フォルダを再帰的に取得する再帰的親フォルダ取得手段と、前記取得されたルートフォルダに対してアクセス権が設定された第２のユーザ集合を取得する第２のユーザ取得手段と、前記第１のユーザ集合及び前記第２のユーザ集合の共集合が空集合であるときに、前記調査対象へのアクセス可能ユーザは存在しないと判断する判断手段と、を備えることを特徴とする。
【手続補正９】
【補正対象書類名】明細書
【補正対象項目名】００１５
【補正方法】変更
【補正の内容】
【００１５】
請求項５記載の文書管理システムは、請求項１乃至４のいずれか１項に記載の文書管理システムにおいて、前記調査対象へのアクセス可能ユーザが存在しないと判断したときに、画面表示、印刷、音声出力、ログ記録、メール送信の少なくともいずれかでユーザにその旨通知する通知手段を更に備えることを特徴とする。
【手続補正１０】
【補正対象書類名】明細書
【補正対象項目名】００１６
【補正方法】変更
【補正の内容】
【００１６】
請求項６記載の文書管理システムは、請求項１乃至５のいずれか１項に記載の文書管理システムにおいて、前記調査対象へのアクセス可能ユーザが存在しないと判断したときに、前記調査対象へのユーザアクセスを可能とする対応方法を取得する対応方法取得手段を更に備えることを特徴とする。
【手続補正１１】
【補正対象書類名】明細書
【補正対象項目名】００１９
【補正方法】変更
【補正の内容】
【００１９】
請求項９記載の文書管理システムは、請求項１乃至８のいずれか１項に記載の文書管理システムにおいて、前記共集合が空集合でないとき、アクセス可能性調査から除外される除外ユーザ集合を取得する除外ユーザ取得手段を更に備え、前記判断手段は、前記共集合と前記除外ユーザ集合の補集合の共集合が空集合であるとき、前記調査対象へのアクセス可能ユーザは存在しないと判断することを特徴とする。
【手続補正１２】
【補正対象書類名】明細書
【補正対象項目名】００２０
【補正方法】変更
【補正の内容】
【００２０】
請求項１０記載の文書管理システムは、請求項１乃至９のいずれか１項に記載の文書管理システムにおいて、前記調査対象へのアクセス可能ユーザの存在有無の判断を実行するタイミングを取得するタイミング取得手段と、定期的に現在時刻を取得する現在時刻取得手段とを更に備え、前記判断手段は、前記取得した現在時刻が前記取得したタイミングであるときに、アクセス可能ユーザの存在有無の判断を実行することを特徴とする。
【手続補正１３】
【補正対象書類名】明細書
【補正対象項目名】００２１
【補正方法】変更
【補正の内容】
【００２１】
請求項１１記載の文書管理方法は、ツリー構造の複数のフォルダ及びファイルを管理すると共に、前記管理する夫々のファイル及びフォルダに個別にアクセス権を設定する文書管理システムにおける文書管理方法であって、前記文書管理システムは、調査対象取得手段、ユーザ集合取得手段、フォルダ取得手段、フォルダユーザ集合取得手段、及び判断手段を備え、前記調査対象取得手段が、前記アクセス権が設定されたファイルである調査対象を取得する調査対象取得ステップと、前記ユーザ集合取得手段が、前記調査対象に対してアクセス権が設定されたファイルユーザ集合を取得するファイルユーザ集合取得ステップと、前記フォルダ取得手段が、前記調査対象であるファイルが所属するフォルダを取得するフォルダ取得ステップと、前記フォルダユーザ集合取得手段が、前記取得されたフォルダに対してアクセス権が設定されたフォルダユーザ集合を取得するフォルダユーザ集合取得ステップと、前記判断手段が、前記ファイルユーザ集合及び前記フォルダユーザ集合の共集合が空集合であるときに、前記調査対象へのアクセス可能ユーザは存在しないと判断する判断ステップと、を有することを特徴とする。
【手続補正１４】
【補正対象書類名】明細書
【補正対象項目名】００２２
【補正方法】変更
【補正の内容】
【００２２】
請求項１２記載の文書管理方法は、ツリー構造の複数のフォルダ及びファイルを管理すると共に、前記管理する夫々のフォルダに個別にアクセス権を設定する文書管理システムにおける文書管理方法であって、前記文書管理システムは、調査対象取得手段、第１のユーザ集合取得手段、親フォルダ取得手段、第２のユーザ集合取得手段、及び判断手段を備え、前記調査対象取得手段が、前記アクセス権が設定されたフォルダである調査対象を取得する調査対象取得ステップと、前記第１のユーザ集合取得手段が、前記調査対象であるフォルダに対してアクセス権が設定された第１のユーザ集合を取得する第１のユーザ集合取得ステップと、前記親フォルダ取得手段が、前記調査対象であるフォルダの親フォルダを取得する親フォルダ取得ステップと、前記第２のユーザ集合取得手段が、前記親フォルダ取得ステップにより取得されたフォルダに対してアクセス権が設定された第２のユーザ集合を取得する第２のユーザ集合取得ステップと、前記判断手段が、前記第１のユーザ集合及び前記第２のユーザ集合の共集合が空集合であるときに、前記調査対象へのアクセス可能ユーザは存在しないと判断する判断ステップと、を有することを特徴とする。
【手続補正１５】
【補正対象書類名】明細書
【補正対象項目名】００２３
【補正方法】変更
【補正の内容】
【００２３】
請求項１３記載の文書管理方法は、ツリー構造の複数のフォルダ及びファイルを管理すると共に、前記管理する夫々のファイル及びフォルダに個別にアクセス権を設定する文書管理システムにおける文書管理方法であって、前記文書管理システムは、調査対象取得手段、ファイルユーザ集合取得手段、フォルダ取得手段、再帰的親フォルダ取得手段、フォルダユーザ集合取得手段、及び判断手段を備え、前記調査対象取得手段が、前記アクセス権が設定されたファイルである調査対象を取得する調査対象取得ステップと、前記ファイルユーザ集合取得手段が、前記調査対象であるファイルに対してアクセス権が設定されたファイルユーザ集合を取得するファイルユーザ集合取得ステップと、前記フォルダ取得手段が、前記調査対象が所属するフォルダを取得するフォルダ取得ステップと、前記再帰的親フォルダ取得手段が、前記取得されたフォルダがルートフォルダでないときに、ルートフォルダになるまで当該フォルダの親フォルダを再帰的に取得する再帰的親フォルダ取得ステップと、前記フォルダユーザ集合取得手段が、前記取得されたルートフォルダに対してアクセス権が設定されたフォルダユーザ集合を取得するフォルダユーザ集合取得ステップと、前記判断手段が、前記ファイルユーザ集合及び前記フォルダユーザ集合の共集合が空集合であるときに、前記調査対象へのアクセス可能ユーザは存在しないと判断する判断ステップと、を有することを特徴とする。
【手続補正１６】
【補正対象書類名】明細書
【補正対象項目名】００２４
【補正方法】変更
【補正の内容】
【００２４】
請求項１４記載の文書管理方法は、ツリー構造の複数のフォルダ及びファイルを管理すると共に、前記管理する夫々のフォルダに個別にアクセス権を設定する文書管理システムにおける文書管理方法であって、前記文書管理システムは、調査対象取得手段、第１のユーザ集合取得手段、親フォルダ取得手段、再帰的親フォルダ取得手段、第２のユーザ集合取得手段、及び判断手段を備え、前記調査対象取得手段が、前記アクセス権が設定されたフォルダである調査対象を取得する調査対象取得ステップと、前記第１のユーザ集合取得手段が、前記調査対象であるフォルダに対してアクセス権が設定された第１のユーザ集合を取得する第１のユーザ集合取得ステップと、前記親フォルダ取得手段が、前記調査対象であるフォルダの親フォルダを取得する親フォルダ取得ステップと、前記再帰的親フォルダ取得手段が、前記取得された親フォルダがルートフォルダでないときに、ルートフォルダになるまで当該フォルダの親フォルダを再帰的に取得する再帰的親フォルダ取得ステップと、前記第２のユーザ集合取得手段が、前記取得されたルートフォルダに対してアクセス権が設定された第２のユーザ集合を取得する第２のユーザ取得ステップと、前記判断手段が、前記第１のユーザ集合及び前記第２のユーザ集合の共集合が空集合であるときに、前記調査対象へのアクセス可能ユーザは存在しないと判断する判断ステップと、を有することを特徴とする。
【手続補正１７】
【補正対象書類名】明細書
【補正対象項目名】００２５
【補正方法】変更
【補正の内容】
【００２５】
請求項１５記載の文書管理方法は、請求項１１乃至１４のいずれか１項に記載の文書管理方法において、前記文書管理システムは、通知手段をさらに備え、前記通知手段が、前記調査対象へのアクセス可能ユーザが存在しないと判断したときに、画面表示、印刷、音声出力、ログ記録、メール送信の少なくともいずれかでユーザにその旨通知する通知ステップを更に備えることを特徴とする。
【手続補正１８】
【補正対象書類名】明細書
【補正対象項目名】００２６
【補正方法】変更
【補正の内容】
【００２６】
請求項１６記載の文書管理方法は、請求項１１乃至１５のいずれか１項に記載の文書管理方法において、前記文書管理システムは、対応方法取得手段をさらに備え、前記対応方法取得手段が、前記調査対象へのアクセス可能ユーザが存在しないと判断したときに、前記調査対象へのユーザアクセスを可能とする対応方法を取得する対応方法取得ステップを更に備えることを特徴とする。
【手続補正１９】
【補正対象書類名】明細書
【補正対象項目名】００２７
【補正方法】変更
【補正の内容】
【００２７】
請求項１７記載の文書管理方法は、請求項１１乃至１６のいずれか１項に記載の文書管理方法において、前記調査対象取得ステップでは、前記調査対象取得手段が、表示手段に、前記調査対象となるファイル又はフォルダをユーザ選択可能に表示させる表示ステップを含むことを特徴とする。
【手続補正２０】
【補正対象書類名】明細書
【補正対象項目名】００２８
【補正方法】変更
【補正の内容】
【００２８】
請求項１８記載の文書管理方法は、請求項１１乃至１７のいずれか１項に記載の文書管理方法において、前記調査対象取得ステップでは、前記調査対象取得手段が、前記アクセス権が設定されたファイル又はフォルダの１つであって、前記調査対象として未だ取得されていないファイル又はフォルダがあるときに、当該ファイル又はフォルダを前記調査対象として取得することを特徴とする。
【手続補正２１】
【補正対象書類名】明細書
【補正対象項目名】００２９
【補正方法】変更
【補正の内容】
【００２９】
請求項１９記載の文書管理方法は、請求項１１乃至１８のいずれか１項に記載の文書管理方法において、前記文書管理システムは、除外ユーザ取得手段を更に備え、前記除外ユーザ取得手段が、前記共集合が空集合でないとき、アクセス可能性調査から除外される除外ユーザ集合を取得する除外ユーザ取得ステップを更に有し、前記判断ステップでは、前記共集合と前記除外ユーザ集合の補集合の共集合が空集合であるとき、前記判断手段が前記調査対象へのアクセス可能ユーザは存在しないと判断することを特徴とする。
【手続補正２２】
【補正対象書類名】明細書
【補正対象項目名】００３０
【補正方法】変更
【補正の内容】
【００３０】
請求項２０記載の文書管理方法は、請求項１１乃至１９のいずれか１項に記載の文書管理方法において、前記文書管理システムは、タイミング取得手段及び現在時刻取得手段を更に備え、前記タイミング取得手段が、前記調査対象へのアクセス可能ユーザの存在有無の判断を実行するタイミングを取得するタイミング取得ステップと、前記現在時刻取得手段が、定期的に現在時刻を取得する現在時刻取得ステップとを更に有し、前記判断ステップでは、前記取得した現在時刻が前記取得したタイミングであるときに、前記判断手段がアクセス可能ユーザの存在有無の判断を実行することを特徴とする。
【手続補正２３】
【補正対象書類名】明細書
【補正対象項目名】００３１
【補正方法】変更
【補正の内容】
【００３１】
請求項２１記載のプログラムは、コンピュータを、ツリー構造の複数のフォルダ及びファイルを管理すると共に、前記管理する夫々のファイル及びフォルダに個別にアクセス権を設定する文書管理システムとして機能させるためのプログラムであって、前記コンピュータを、前記アクセス権が設定されたファイルである調査対象を取得する調査対象取得手段、前記調査対象に対してアクセス権が設定されたファイルユーザ集合を取得するファイルユーザ集合取得手段、前記調査対象であるファイルが所属するフォルダを取得するフォルダ取得手段、前記取得されたフォルダに対してアクセス権が設定されたフォルダユーザ集合を取得するフォルダユーザ集合取得手段、並びに前記ファイルユーザ集合及び前記フォルダユーザ集合の共集合が空集合であるときに、前記調査対象へのアクセス可能ユーザは存在しないと判断する判断手段、として機能させることを特徴とする。
【手続補正２４】
【補正対象書類名】明細書
【補正対象項目名】００３２
【補正方法】変更
【補正の内容】
【００３２】
請求項２２記載のプログラムは、コンピュータを、ツリー構造の複数のフォルダ及びファイルを管理すると共に、前記管理する夫々のファイル及びフォルダに個別にアクセス権を設定する文書管理システムとして機能させるためのプログラムであって、コンピュータを、前記アクセス権が設定されたフォルダである調査対象を取得する調査対象取得手段、前記調査対象であるフォルダに対してアクセス権が設定された第１のユーザ集合を取得する第１のユーザ集合取得手段、前記調査対象であるフォルダの親フォルダを取得する親フォルダ取得手段、前記親フォルダ取得手段により取得された親フォルダに対してアクセス権が設定された第２のユーザ集合を取得する第２のユーザ取得手段、並びに、前記第１のユーザ集合及び前記第２のユーザ集合の共集合が空集合であるときに、前記調査対象へのアクセス可能ユーザは存在しないと判断する判断手段、として機能させることを特徴とする。
【手続補正２５】
【補正対象書類名】明細書
【補正対象項目名】００３３
【補正方法】変更
【補正の内容】
【００３３】
請求項２３記載のプログラムは、コンピュータを、ツリー構造の複数のフォルダ及びファイルを管理すると共に、前記管理する夫々のファイル及びフォルダに個別にアクセス権を設定する文書管理システムとして機能させるためのプログラムであって、コンピュータを、前記アクセス権が設定されたファイルである調査対象を取得する調査対象取得手段、前記調査対象であるファイルに対してアクセス権が設定されたファイルユーザ集合を取得するファイルユーザ集合取得手段、前記調査対象であるファイルが所属するフォルダを取得するフォルダ取得手段、前記取得されたフォルダがルートフォルダでないときに、ルートフォルダになるまで当該フォルダの親フォルダを再帰的に取得する再帰的親フォルダ取得手段、前記取得されたルートフォルダに対してアクセス権が設定されたフォルダユーザ集合を取得するフォルダユーザ集合取得手段、並びに前記ファイルユーザ集合及び前記フォルダユーザ集合の共集合が空集合であるときに、前記調査対象へのアクセス可能ユーザは存在しないと判断する判断手段、として機能させることを特徴とする。
【手続補正２６】
【補正対象書類名】明細書
【補正対象項目名】００３４
【補正方法】変更
【補正の内容】
【００３４】
請求項２４記載のプログラムは、コンピュータを、ツリー構造の複数のフォルダ及びファイルを管理すると共に、前記管理する夫々のフォルダに個別にアクセス権を設定する文書管理システムとして機能させるためのプログラムであって、コンピュータを、前記アクセス権が設定されたフォルダである調査対象を取得する調査対象取得手段、前記調査対象であるフォルダに対してアクセス権が設定された第１のユーザ集合を取得する第１のユーザ集合取得手段、前記調査対象であるフォルダの親フォルダを取得する親フォルダ取得手段、前記取得された親フォルダがルートフォルダでないときに、ルートフォルダになるまで当該フォルダの親フォルダを再帰的に取得する再帰的親フォルダ取得手段、前記取得されたルートフォルダに対してアクセス権が設定された第２のユーザ集合を取得する第２のユーザ取得手段、並びに前記第１のユーザ集合及び前記第２のユーザ集合の共集合が空集合であるときに、前記調査対象へのアクセス可能ユーザは存在しないと判断する判断手段、として機能させることを特徴とする。
請求項２５記載の記憶媒体は、請求項２１乃至２４のいずれか１項に記載のプログラムを格納したことを特徴とする。
【手続補正２７】
【補正対象書類名】明細書
【補正対象項目名】００３５
【補正方法】変更
【補正の内容】
【００３５】
請求項１記載の文書管理システム、請求項１１記載の文書管理方法、請求項２１記載のプログラム、及び請求項２５の記憶媒体によれば、調査対象であるファイルに対してアクセス権が設定されたファイルユーザ集合と、上記調査対象であるファイルが所属するフォルダに対してアクセス権が設定されたフォルダユーザ集合との共集合が空集合であるときに、上記調査対象へのアクセス可能ユーザは存在しないと判断するので、アクセスできないファイルの存在を検出することができる。
【手続補正２８】
【補正対象書類名】明細書
【補正対象項目名】００３６
【補正方法】変更
【補正の内容】
【００３６】
請求項２記載の文書管理システム、請求項１２記載の文書管理方法、請求項２２記載のプログラム、及び請求項２５の記憶媒体によれば、調査対象であるフォルダに対してアクセス権が設定された第１のユーザ集合と、上記調査対象であるフォルダの親フォルダに対してアクセス権が設定された第２のユーザ集合との共集合が空集合であるときに、上記調査対象へのアクセス可能ユーザは存在しないと判断するので、アクセスできないフォルダの存在を検出することができる。
【手続補正２９】
【補正対象書類名】明細書
【補正対象項目名】００３７
【補正方法】変更
【補正の内容】
【００３７】
請求項３記載の文書管理システム、請求項１３記載の文書管理方法、請求項２３記載のプログラム、及び請求項２５の記憶媒体によれば、調査対象であるファイルに対してアクセス権が設定されたファイルユーザ集合と、上記調査対象であるファイルが所属するフォルダがルートフォルダになるまで再帰的に取得することで取得されたルートフォルダに対してアクセス権が設定されたフォルダユーザ集合との共集合が空集合であるときに、上記調査対象へのアクセス可能ユーザは存在しないと判断するので、実際にルートフォルダから辿って調査対象のファイルへアクセス可能なファイルユーザ集合を取得することができる。
【手続補正３０】
【補正対象書類名】明細書
【補正対象項目名】００３８
【補正方法】変更
【補正の内容】
【００３８】
請求項４記載の文書管理システム、請求項１４記載の文書管理方法、請求項２４記載のプログラム、及び請求項２５の記憶媒体によれば、調査対象であるフォルダに対してアクセス権が設定された第１のユーザ集合と、上記調査対象であるフォルダの親フォルダがルートフォルダになるまで再帰的に取得することで取得されたルートフォルダに対してアクセス権が設定された第２のユーザ集合との共集合が空集合であるときに、上記調査対象へのアクセス可能ユーザは存在しないと判断するので、実際にルートフォルダから辿って調査対象のフォルダへアクセス可能な第２のユーザ集合を取得することができる。
【手続補正３１】
【補正対象書類名】明細書
【補正対象項目名】００３９
【補正方法】変更
【補正の内容】
【００３９】
請求項６記載の文書管理システム及び請求項１６記載の文書管理方法によれば、調査対象へのアクセス可能ユーザが存在しないと判断したときに、調査対象へのユーザアクセスを可能とする対応方法を取得するので、アクセスできないファイルやフォルダの存在を確実に無くすことができる。
【手続補正３２】
【補正対象書類名】明細書
【補正対象項目名】００４２
【補正方法】変更
【補正の内容】
【００４２】
請求項９記載の文書管理システム及び請求項１９記載の文書管理方法によれば、上述の各共集合が空集合でないとき、アクセス可能性調査から除外される除外ユーザ集合を取得し、上記共集合と除外ユーザ集合の補集合の共集合が空集合であるとき、調査対象へのアクセス可能ユーザは存在しないと判断するので、除外ユーザ集合に含まれる管理者等でない、いわゆる一般ユーザがアクセスできないファイルやフォルダの存在を確実に検出することができる。
【手続補正３３】
【補正対象書類名】明細書
【補正対象項目名】００４３
【補正方法】変更
【補正の内容】
【００４３】
請求項１０記載の文書管理システム及び請求項２０記載の文書管理方法によれば、前記調査対象へのアクセス可能ユーザの存在有無の判断を実行するタイミングと定期的に現在時刻とを取得し、上記取得した現在時刻が上記取得したタイミングであるときに、アクセス可能ユーザの存在有無の判断を実行するので、ユーザがアクセス可能ユーザの存在有無の判断を実行する時期を指定しなくても、アクセスできないファイルやフォルダの存在を確実に検出することができる。